(57)【要約】      （修正有）【課題】本体の設置高さを簡易的に変更可能としながら振動の伝播を抑制できる手乾燥装置を提供する。【解決手段】壁面２に取り付けられる引掛け部材１３に引掛けることが可能な受け部材１２を本体３の背面１に備えた手乾燥装置であって、受け部材１２を固定するための複数の固定穴を、本体３の背面１において、上方から下方に向かって順に設け、その中から選ばれた少なくとも１つ以上の固定穴を利用して受け部材１２を固定する構成とした。【選択図】図１
2015058176.tif 000002
【特許請求の範囲】
【請求項１】
外部に向かって開口した手挿入口から手を抜き差しする手乾燥室と、
前記手乾燥室に向けて高圧空気を送出する吹出ノズルと、
前記吹出ノズルから前記高圧空気を送出する電動送風機と、
壁面に取り付けられる引掛け部材に引掛けることが可能な受け部材と、
本体の背面に前記受け部材を固定するための複数の固定穴とを備え、
前記複数の固定穴は、前記本体の背面において、上方から下方に向かって順に設けられた複数個数の固定穴からなり、
前記複数の固定穴の中から選ばれた少なくとも１つ以上の固定穴を利用して、前記本体の背面に前記受け部材を固定し、前記受け部材を前記引掛け部材に引掛けて、前記本体を前記壁面に固定することを特徴とする手乾燥装置。
【請求項２】
前記背面に、前記本体の前面から前記壁面の方向に向かって突出した支持凸部を形成し、
前記支持凸部の凸高さは、前記支持凸部の下面と前記受け部材の上面が接触する高さとすることを特徴とする請求項１に記載の手乾燥装置。
【請求項３】
前記本体の背面において本体の背面から前面に向かって凹んだ第１凹部を備え、
前記第１凹部と前記受け部材との間の空間に前記引掛け部材の引掛け部を通すことにより、前記受け部材を前記引掛け部材に引掛けて、前記本体を前記壁面に固定することを特徴とする請求項１または２に記載の手乾燥装置。
【請求項４】
前記本体の背面において本体の背面から前面に向かって凹んだ第２凹部を備え、
前記第１凹部は、前記第２凹部に挟まれた部分に設けられ、
前記第１凹部の凹み深さは前記第２凹部の凹み深さよりも深く、
前記複数の固定穴は前記第２凹部に設けられたことを特徴とする請求項３に記載の手乾燥装置。
【請求項５】
前記第２凹部は前記第１凹部に接して形成されていることを特徴とする請求項４に記載の手乾燥装置。
【請求項６】
前記固定穴は、前記本体の前面から前記壁面の方向に向かって突出したボス形状部に形成された穴とし、前記ボス形状部に前記受け部材を固定することを特徴とする請求項１から３の何れか１項に記載の手乾燥装置。
【請求項７】
前記複数の固定穴は、前記本体の上半分に全ての固定穴を配置したことを特徴とする請求項１から６の何れか１項に記載の手乾燥装置。
【発明の詳細な説明】
【技術分野】
【０００１】
本発明は、手乾燥装置に関する。
【背景技術】
【０００２】
手乾燥装置は、水洗い等により濡れた手を乾燥させるために洗面所、トイレ、またはキッチン等において使用される。そのため、手乾燥装置を壁掛け設置する業者は、設置場所の主な使用者（例えば、会社の男性トイレであれば、主な使用者は成人男性となる。）を想定し、その使用者が使い易いように手乾燥装置の設置高さを決める必要がある。
【０００３】
また、手乾燥装置は製品内部に電動送風機や羽根、ケーシング、ヒータ等の様々な部品を搭載しているため本体重量が重くなり、本体を壁掛け設置時に本体が傾斜する可能性がある。そのため、壁掛け部は強度を高くする必要がある。
【０００４】
そこで、手乾燥装置を壁掛け設置するため、電動送風機の背面に固定された受け部材に、壁面に固定された引掛け部材を引っ掛けている。このような手乾燥装置は、重量が大きく振動元となる電動送風機を直接支持して設置強度を高くしている（例えば、特許文献１参照）。
【０００５】
以下、従来の手乾燥装置の側面断面図である図５を参照しながら説明する。
【０００６】
図５に示すように従来の手乾燥装置は、壁面１０１に取り付けられ、高圧（０．５〜１５ｋＰａ）の気流を送出する電動送風機１０２と、壁面取り付け用の受け部材１０３と、引掛け部材１０４を有している。電動送風機１０２が運転すると、吸込口１０５から流入した気流が電装送風機１０２によって昇圧された後、ノズル１０６から送出される。壁面取り付け用の受け部材１０３は電動送風機１０２の背面に固定されている。一方、引掛け部材１０４は壁面１０１にネジで固定されている。受け部材１０３には引掛け用の開口１０７が設けられ、引掛け部材１０４には引掛け部１０８が設けられており、引掛け部１０８を引掛け用の開口１０７に引掛けることで手乾燥装置を壁面に取り付ける仕組みである。
【先行技術文献】
【特許文献】
【０００７】
【特許文献１】特許第２７３２３０１号公報
【発明の概要】
【発明が解決しようとする課題】
【０００８】
このような従来の手乾燥装置は、重量が大きく振動元となる電動送風機を直接支持することで設置強度を高くしている。しかし、引掛け部材の取り付け高さが決まると、本体の設置高さが一意的に決まり、本体の設置高さを任意に変えられないという課題があった。また、電動送風機を直接支持しているため、電動送風機の振動が受け部材と引掛け部材を介して壁面を伝って伝播し易くなり、異常音が発生したり、壁面への取り付け強度が低下したりする課題があった。
【０００９】
本発明は、このような従来の課題を解決するものであり、本体の背面に受け部材を固定し、壁面に取り付けられた引掛け部材を受け部材に引掛けることで壁掛け設置する構造とし、かつ受け部材は本体背面に設けられた複数の固定穴から任意的に選んで固定できるようにすることにより、引掛け部材の取り付け高さに対し引掛け高さを任意的に決めることができ、また、電動送風機と受け部材を直接接続しないことにより、電動送風機の振動の伝播を抑えることができ、本体の設置高さを簡易的に変更可能としながら振動の伝播を抑制できる手乾燥装置を提供することを目的とする。
【課題を解決するための手段】
【００１０】
本発明の手乾燥装置は、上記目的を達成するために、外部に向かって開口した手挿入口から手を抜き差しする手乾燥室と、前記手乾燥室に向けて高圧空気を送出する吹出ノズルと、前記吹出ノズルから前記高圧空気を送出する電動送風機と、壁面に取り付けられる引掛け部材に引掛けることが可能な受け部材と、本体の背面に前記受け部材を固定するための複数の固定穴とを備え、前記複数の固定穴は、前記本体の背面において、上方から下方に向かって順に設けられた複数個数の固定穴からなり、前記複数の固定穴の中から選ばれた少なくとも１つ以上の固定穴を利用して、前記本体の背面に前記受け部材を固定し、前記受け部材を前記引掛け部材に引掛けて、前記本体を前記壁面に固定するものである。
【発明の効果】
【００１１】
本発明によれば、外部に向かって開口した手挿入口から手を抜き差しする手乾燥室と、前記手乾燥室に向けて高圧空気を送出する吹出ノズルと、前記吹出ノズルから前記高圧空気を送出する電動送風機と、壁面に取り付けられる引掛け部材に引掛けることが可能な受け部材と、本体の背面に前記受け部材を固定するための複数の固定穴とを備え、前記複数の固定穴は、前記本体の背面において、上方から下方に向かって順に設けられた複数個数の固定穴からなり、前記複数の固定穴の中から選ばれた少なくとも１つ以上の固定穴を利用して、前記本体の背面に前記受け部材を固定し、前記受け部材を前記引掛け部材に引掛けて、前記本体を前記壁面に固定することにより、受け部材の固定位置を本体背面に設けた複数の固定穴から選択可能となり、引掛け部材の取り付け高さに対し、引掛け高さを任意的に決めることができ、かつ、電動送風機と受け部材を直接接続しないことにより、電動送風機の振動の伝播を抑えることができ、本体の設置高さを簡易的に変更可能としながら振動の伝播を抑制できる手乾燥装置を提供することができる。
【図面の簡単な説明】
【００１２】
【図１】本発明の実施の形態１の手乾燥装置の正面斜視図
【図２】本発明の実施の形態１の手乾燥装置の背面図
【図３】本発明の実施の形態１の手乾燥装置の背面斜視拡大図
【図４】本発明の実施の形態２の手乾燥装置の背面斜視拡大図
【図５】従来例の手乾燥装置の側面断面図
【発明を実施するための形態】
【００１３】
本発明の請求項１記載の手乾燥装置は、外部に向かって開口した手挿入口から手を抜き差しする手乾燥室と、前記手乾燥室に向けて高圧空気を送出する吹出ノズルと、前記吹出ノズルから前記高圧空気を送出する電動送風機と、壁面に取り付けられる引掛け部材に引掛けることが可能な受け部材と、本体の背面に前記受け部材を固定するための複数の固定穴とを備え、前記複数の固定穴は、前記本体の背面において、上方から下方に向かって順に設けられた複数個数の固定穴からなり、前記複数の固定穴の中から選ばれた少なくとも１つ以上の固定穴を利用して、前記本体の背面に前記受け部材を固定し、前記受け部材を前記引掛け部材に引掛けて、前記本体を前記壁面に固定するものであり、受け部材の固定位置を本体背面に設けた複数の固定穴から選択可能とすることにより、引掛け部材の取り付け高さに対し、引掛け高さを任意的に決めることができ、かつ、電動送風機と受け部材を直接接続しないことにより、電動送風機の振動の伝播を抑えることができ、本体の設置高さを簡易的に変更可能としながら振動の伝播を抑制できるという効果を奏する。
【００１４】
また、前記背面に、前記本体の前面から前記壁面の方向に向かって突出した支持凸部を形成し、前記支持凸部の凸高さは、前記支持凸部の下面と前記受け部材の上面が接触する高さとすることにより、本体を設置した時に、本体の荷重を、ねじだけでなく支持凸部にも分散できるので、本体を簡単な形状としながら、受け部材の固定強度を向上できるという効果を奏する。
【００１５】
また、前記本体の背面において本体の背面から前面に向かって凹んだ第１凹部を備え、
前記第１凹部と前記受け部材との間の空間に前記引掛け部材の引掛け部を通すことにより、前記受け部材を前記引掛け部材に引掛けて、前記本体を前記壁面に固定するものであり、本体の背面の凹部と受け部材との間の空間に引掛け部材の引掛け部を通すことにより、本体と壁面を接近させて、本体を壁面に固定できるので、本体の設置スペースを小さくすることができるという効果を奏する。
【００１６】
また、前記本体の背面において本体の背面から前面に向かって凹んだ第２凹部を備え、前記第１凹部は、前記第２凹部に挟まれた部分に設けられ、前記第１凹部の凹み深さは前記第２凹部の凹み深さよりも深く、前記複数の固定穴は前記第２凹部に設けられたものであり、受け部材の固定穴を第１凹部に配置し、第２凹部と受け部材との間の空間に引掛け部材の引掛け部を通すことにより、さらに本体と壁面を接近させて、本体を壁面に固定できるので、本体の設置スペースを小さくすることができるという効果を奏する。
【００１７】
また、前記第２凹部は前記第１凹部に接して形成されたものであり、第１凹部と第２凹部が接していることにより、受け部材が平板状などの単純な形状であっても、確実に第１凹部と受け部材との間の空間を確保できるので、コストを抑えながら、本体の設置スペースを小さくすることができるという効果を奏する。
【００１８】
また、前記固定穴は、前記本体の前面から前記壁面の方向に向かって突出したボス形状部に形成された穴とし、前記ボス形状部に前記受け部材を固定することにより、本体の前記背面と受け部材との間に空間ができ、その空間に引掛け部材の引掛け部を通すことにより、受け部材に被引掛け部が必要ないので、コストを抑えることができるという効果を奏する。
【００１９】
また、前記複数の固定穴は、前記本体の上半分に全ての固定穴を配置したものであり、前記本体を設置する時に、前記受け部材と前記引掛け部材の位置を目視で確認しながら引掛け作業を行うことが出来るので、施工性を向上できるという効果を奏する。
【００２０】
以下、本発明の実施の形態について、図面を参照しながら説明する。
【００２１】
（実施の形態１）
本実施の形態による手乾燥装置は、図１に示すように、背面１を壁面２に対向させて壁面２に備え付けられる箱型の本体３と、この本体３の内部に設けられた電動送風機４と、外部７に向かって開口した手挿入口８から手を抜き差しする手乾燥室９と、手乾燥室９に向けて０．５ｋＰａ〜１５ｋＰａの高圧空気１０を送出する吹出ノズル６を有している。
【００２２】
電動送風機４は、ターボ型の遠心送風機であり、本体３内にファン吸込み口５を背面１に向けて備えられている。
【００２３】
手乾燥室９には手の挿入を検出するセンサ１１が設けられている。この手乾燥装置は、正面に使用者が立って、手洗い後の濡れた手を手乾燥室９に挿入するとセンサ１１によって手が検出され、その検出により電動送風機４が運転される。
【００２４】
電動送風機４が運転されると吹出ノズル６から高圧空気１０が送出され、送出された高圧空気１０を濡れた手に衝突させることで、水分を吹き飛ばし、蒸発させて、手を乾燥させる仕組みである。
【００２５】
また、壁面２には引掛け部材１３が固定され、引掛け部材１３にはフック形状の引掛け部１５が設けられている。
【００２６】
一方、図２に示すように、本体３の背面１には受け部材１２が固定され、受け部材１２には外部にせり出すように下側を開口とする向きに袋形状の被引掛け部１４が設けられている。手乾燥装置は引掛け部材１３の引掛け部１５を受け部材１２の被引掛け部１４に引掛けることで本体を壁面２に設置する仕組みである。
【００２７】
ここで、図２に示すように、本体３の背面１には受け部材１２を固定する為の複数の固定穴１６を備え、複数の固定穴１６は、本体３の背面１において、上方から下方に向かって順に設けられた複数個数の固定穴からなり、複数の固定穴１６から選ばれた少なくとも一つの固定穴１６を利用して、受け部材１２は締結ねじ５１により固定される。
【００２８】
この構成により、受け部材１２の固定位置を本体背面に設けた複数の固定穴１６から選択可能とすることにより、引掛け部材１３の取り付け高さに対し、引掛け高さを任意的に決めることができる。
【００２９】
また、電動送風機４と受け部材１２とは本体３の背面１を介して間接的に接続されている。このように間接的に接続され、直接接続しないことで、電動送風機４の振動の伝播を抑えることができる。
【００３０】
また、図３に示すように、複数の固定穴１６は、本体３の前面３１から壁面２の方向に向かって突出したボス形状部４１に形成された穴とし、突出したボス形状部４１に受け部材を締結ねじ５１により固定する構成としてもよい。
【００３１】
この構成により、本体３の背面１と受け部材１２との間に空間３２ができ、その空間３２に引掛け部材１３の引掛け部１５を通すことで、受け部材１２の被引掛け部１４を不要とできる。
【００３２】
また、背面１に、本体３の前面３１から壁面２の方向に向かって突出した支持凸部４２を形成し、支持凸部４２の凸高さ４３は、支持凸部４２の下面と受け部材１２の上面が接触する高さとした構成とすることが好ましい。
【００３３】
この構成により、本体３を設置した時に、本体３の荷重を、締結ねじ５１だけでなく支持凸部４２にも分散できる。支持凸部４２の下面と受け部材１２の上面が共に水平方向の面であれば、互いの面が接触し、鉛直方向にかかる本体３の荷重を支持凸部４２で良好に分散できるため、さらに好ましい。
【００３４】
また、複数の固定穴１６は、本体３の上半分に全てを配置した構成とすることが好ましい。
【００３５】
この構成により、本体３を設置する時に、受け部材１２と引掛け部材１３の位置を目視で確認しながら引掛け作業を行うことができる。
【００３６】
このように本発明の実施の形態１の手乾燥装置によれば、本体の設置高さを簡易的に変更可能としながら振動の伝播を抑制でき、かつコストを抑え、受け部材の固定強度を向上しながら、施工性を向上できることとなる。
【００３７】
なお、本実施の形態では、固定穴１６を水平方向の１行当たり２つ設けた。言い換えれば、複数の固定穴１６を本体３の上方から下方の垂直方向に２列設けた。固定穴１６を水平方向の１行当たり２つ以上設けること（或いは垂直方向に２列以上設けること）は、受け部材１２を２つ以上の固定穴を利用して本体に固定でき、強固に本体３を壁面２に固定できるため好ましい。しかし、固定穴１６は、本体３の背面１の中央に設けて、水平方向の１行当たり１つ（垂直方向に１列）としてもよい。
【００３８】
また、本実施の形態では、正面において外部７に向かって開口した手挿入口８を備えた手乾燥装置の例を示したが、上面において外部に向かって開口した手挿入口を設けた構成としたものでも同様の効果が得られる。
【００３９】
また、本実施の形態では、手乾燥室９の片面に吹出ノズル６を設けた片面吹き出し形手乾燥装置の例を示したが、両面に吹出ノズルを設けた両面吹き出し形手乾燥装置でも、或いはそれ以外の手乾燥装置でも同様の効果が得られる。
【００４０】
（実施の形態２）
手乾燥装置は洗面所やトイレ等、清掃時等に水がかかる場所に設置される事が多く、本体３と壁面２との隙間が大きい場合、壁面２を伝った水が隙間に浸入し易くなり好ましくない。また、洗面所やトイレ等は空間が狭い場合があるため、手乾燥装置の設置スペースを小さくする事が好ましい。従って、本体３は壁面２に接近して固定させる事が望ましいといえる。
【００４１】
図４に示すように、本体３の背面１に、背面１から前面３１に向かって凹んだ第１凹部２１を設け、受け部材１２の固定穴１６は第１凹部２１を除いた背面１に第１凹部を挟むように設けた構成とする。なお、本体３の前面３１とは背面１の反対にある面をいう。
【００４２】
この構成により、第１凹部２１と受け部材１２との間に空間３２ができ、その空間３２に引掛け部材１３の引掛け部１５を引掛けることで、本体３を壁面２に接近させながら固定できる。さらに、受け部材１２の被引掛け部１４が不要になるため、受け部材１２の構造を簡素化できる。
【００４３】
また、本体３の背面１に、背面１から前面に向かって凹んだ第２凹部２２を設け、第１凹部２１は第２凹部２２に挟まれた部分に配置される。第１凹部２１の凹み深さは第２凹部２２の深さよりも深い。受け部材１２の固定穴１６は第１凹部２１を挟むように第２凹部２２に設けた構成とする。
【００４４】
この構成により、受け部材１２も凹部に配置され、受け部材１２が本体３の背面１よりも外側とならない或いはあまり出っ張らないため、さらに本体３を壁面２に接近させながら固定できる。
【００４５】
また、第２凹部２２は第１凹部２１に接して形成した構成とする。
【００４６】
この構成により、受け部材１２が平板状などの単純な形状であっても、確実に第１凹部２１と受け部材１２との間の空間３２を確保でき、受け部材１２の構造を簡素化できる。
【００４７】
このように本発明の実施の形態２の手乾燥装置によれば、コストを抑えながら、本体の設置スペースを小さくできることとなる。
【００４８】
なお、第１凹部２１に実施の形態１で述べた支持凸部４２を設けてもよい。これにより、本体３を設置した時に、本体３の荷重を、締結ねじ５１だけでなく支持凸部４２にも分散でき、受け部材の固定強度を向上することができるので、好ましい。
【００４９】
また、本実施の形態では、固定穴１６は第１凹部２１を挟むように第２凹部２２に設けたが、第２凹部２２を設けずに固定穴１６を第１凹部２１の外に設ける構成であってもよい。この場合であっても、第１凹部２１と受け部材１２との間に空間３２を得ることはできる。
【００５０】
本実施の形態では、固定穴１６を水平方向の１行当たり２つ設けた。言い換えれば、複数の固定穴１６を本体３の上方から下方の垂直方向に２列設けた。固定穴１６を水平方向の１行当たり２つ以上設けること（或いは垂直方向に２列以上設けること）は、受け部材１２を２つ以上の固定穴を利用して本体に固定でき、強固に本体３を壁面２に固定できるため好ましい。しかし、固定穴１６は、本体３の背面１の中央に設けて、水平方向の１行当たり１つ（垂直方向に１列）としてもよい。
【００５１】
また、本実施の形態では、正面において外部７に向かって開口した手挿入口８を備えた手乾燥装置の例を示したが、上面において外部に向かって開口した手挿入口を設けた構成としたものでも同様の効果が得られる。
【００５２】
また、本実施の形態では、手乾燥室９の片面に吹出ノズル６を設けた片面吹き出し形手乾燥装置の例を示したが、両面に吹出ノズルを設けた両面吹き出し形手乾燥装置でも、或いはそれ以外の手乾燥装置でも同様の効果が得られる。
【産業上の利用可能性】
【００５３】
手乾燥装置などの手の乾燥目的以外に、ノズル構造を用いた設備乾燥機器への転用で、短時間で物体を乾燥させることができる工業用の乾燥用途にも適用できる。
【符号の説明】
【００５４】
１  背面
２  壁面
３  本体
４  電動送風機
５  ファン吸込み口
６  吹出ノズル
７  外部
８  手挿入口
９  手乾燥室
１０  高圧空気
１１  センサ
１２  受け部材
１３  引掛け部材
１４  被引掛け部
１５  引掛け部
１６  固定穴
２１  第１凹部
２２  第２凹部
３１  前面
３２  空間
４１  ボス形状部
４２  支持凸部
４３  凸高さ
５１  締結ねじ
【図１】
2015058176.tif 000003
【図２】
2015058176.tif 000004
【図３】
2015058176.tif 000005
【図４】
2015058176.tif 000006
【図５】
2015058176.tif 000007